(57)【特許請求の範囲】
【請求項１】
容器の口部に装着するキャップ本体と、キャップ本体にヒンジを介して連設される上蓋とからなるヒンジキャップであって、
キャップ本体は、容器の口部に装着する周壁と、周壁の上端から内方に延設される上壁とが設けられ、
上蓋は、頂壁と、頂壁の周縁部に垂設される側壁と、側壁に設けられた山状の切欠きとが設けられ、
キャップ本体は、上壁に回動可能に取り付けられた操作部材を有し、
操作部材は、径方向に突出して形成されたレバー部と、レバー部に形成され、上蓋の側壁に設けられた山状の切欠きの斜面部と当接する同形状の解除部とを有し、
レバー部を押して操作部材を回動することにより、上蓋の側壁に設けられた山状の切欠きを解除部が押し上げて開蓋し、閉蓋時には、上蓋の側壁に設けられた山状の切欠きにより解除部が押されて操作部材が閉蓋位置に戻ることを特徴とするヒンジキャップ。
【請求項２】
操作部材のレバー部は、キャップ本体の両側に一対設けられていることを特徴とする請求項１に記載のヒンジキャップ。
【請求項３】
上壁は、注出孔を有する上面部が突設され、
操作部材は、上面部の周縁を回動可能な環状部を有することを特徴とする請求項１または２に記載のヒンジキャップ。
【発明の詳細な説明】
【技術分野】
【０００１】
本発明は、容器の口部に装着され、上蓋がヒンジを介してキャップ本体に連設されるヒンジキャップに関し、より詳しくは、上蓋を片手で容易に開蓋するための操作部材を備えるヒンジキャップに関する。
【背景技術】
【０００２】
従来、容器の口部に装着し、注出孔を有するキャップ本体と、注出孔を密封する部材を有する上蓋とからなるヒンジキャップが知られている。
この種のヒンジキャップを開蓋する際には、容器を持つ手とは別の手で摘み部を引き上げるか、あるいは押し上げてキャップ本体と蓋体との係合をはずし、さらに摘み部を持ち上げて開蓋するものが知られているが、両手を必要とするため、片手だけで容易に開蓋できるものが求められている。
このような片手で容易に開蓋することができるヒンジキャップとしては、キャップ本体の上に回動可能な操作部材を設け、操作部材を回動させるための操作杆によって、上蓋に設けられた係合溝を押し上げ、弾性反転により開蓋するヒンジキャップが知られている（例えば、特許文献１参照）。
【先行技術文献】
【特許文献】
【０００３】
【特許文献１】実公平７−８４３９号公報
【発明の概要】
【発明が解決しようとする課題】
【０００４】
しかしながら、特許文献１記載のヒンジキャップは、操作部材が大きいため、操作杆を大きくしなければならず、そのため押し上げにもある程度の力を必要とするとともに、閉蓋の際には、操作杆を元位置に戻してから、上蓋を閉じなければならないという問題があった。
さらに、操作杆が大きいため、操作杆を片側にしか設けることができず、右手で開蓋する場合はよいが、左手では、開蓋動作が困難であるという問題があった。
【０００５】
本発明は、上記問題を解決することを課題とし、操作部材の小さなレバー部で容易に開蓋をすることができるとともに、上蓋を閉じるだけで、レバー部を閉蓋状態に戻すことができるヒンジキャップを提供することを目的とする。
また、レバー部を左右に一対設けることによって、利き手に関係なく、どちらか片手でワンタッチで開蓋操作が可能なヒンジキャップを提供することを目的とする。
【課題を解決するための手段】
【０００６】
本発明は、上記の課題を解決するため、ヒンジキャップとして、容器の口部に装着するキャップ本体と、キャップ本体にヒンジを介して連設される上蓋とからなるヒンジキャップであって、キャップ本体は、容器の口部に装着する周壁と、周壁の上端から内方に延設される上壁とが設けられ、上蓋は、頂壁と、頂壁の周縁部に垂設される側壁と、側壁に設けられた山状の切欠きとが設けられ、キャップ本体は、上壁に回動可能に取り付けられた操作部材を有し、操作部材は、径方向に突出して形成されたレバー部と、レバー部に形成され、上蓋の側壁に設けられた山状の切欠きの斜面部と当接する同形状の解除部とを有し、レバー部を押して操作部材を回動することにより、上蓋の側壁に設けられた山状の切欠きを解除部が押し上げて開蓋し、閉蓋時には、上蓋の側壁に設けられた山状の切欠きにより解除部が押されて操作部材が閉蓋位置に戻ることを特徴とする構成を採用する。
【０００７】
操作部材の具体的実施形態として、操作部材のレバー部は、キャップ本体の両側に一対設けられていることを特徴とする構成を採用する。
また、キャップ本体の上壁の具体的実施形態として、上壁は、注出孔を有する上面部が突設され、操作部材は、上面部の周縁を回動可能な環状部を有することを特徴とする構成を採用する。
【発明の効果】
【０００８】
本発明のヒンジキャップは上記構成を採用することにより、レバー部を押して操作部材を回動することにより、上蓋の側壁に設けられた山状の切欠きを解除部が押し上げて容易に開蓋することができ、また、上蓋を閉じることによって、レバー部の位置を元に戻すことができる。
さらに、レバー部をキャップ本体の両側に一対設ける構成を採用することにより、右手あるいは左手のみででワンタッチで開蓋操作を行うことができ、そのまま傾けるだけで内容物の注出が容易にできる。
【図面の簡単な説明】
【０００９】
【図１】本発明の実施例であるヒンジキャップであり、（ａ）は開蓋状態を示す上面図であり、（ｂ）は閉蓋状態の正面図（半断面図）である。
【図２】本発明の実施例であるヒンジキャップにおいて、操作部材を除いたときのヒンジキャップを示し、（ａ）は上面図、（ｂ）は側面図、（ｃ）は（ｂ）の断面図である。
【図３】本発明の実施例における操作部材を示し、（ａ）は上面図、（ｂ）は正面図（半断面図）、（ｃ）は下面図であり、（ｄ）は側面図である。
【図４】本発明の実施例であるヒンジキャップの上蓋のない状態の斜視図であり、（ａ）と（ｂ）は見る方向を変えたものである。
【図５】本発明の実施例であるヒンジキャップの開蓋方法を示し、（ａ）は上面図であり、矢印はレバー部の作動方向を示す。（ｂ）は閉蓋時の側面図であり、（ｃ）はレバー部を押動して、上蓋が少し上方に浮き始めた状態を示す。
【図６】本発明の実施例であるヒンジキャップの開蓋方法を示し、（ａ）はさらにレバー部を押して上蓋が完全に開き切った開蓋状態を示す側面図であり、（ｂ）は開蓋時の上面図である。（ｃ）は、上蓋を閉じるときの作動を示す側面図である。
【図７】本発明の実施例のヒンジキャップの左右にあるレバー部の作動方向を示し、（ａ）は閉蓋状態の上面図であり、（ｂ）は、時計方向に作動させたときの開蓋状態の上面図であり、（ｃ）は時計と逆方向に作動させたときの開蓋状態の上面図である。
【発明を実施するための形態】
【００１０】
次に、本発明のヒンジキャップを粒状または粉状の固形物からなる内容物を振り出して使用する振り出し容器のキャップとして具体化した実施形態について、図面を参照して説明する。
【実施例】
【００１１】
図１および２において、Ａは容器、Ｂは容器Ａに装着されたキャップ本体、Ｃはヒンジ、ＤはヒンジＣを介してキャップ本体Ｂに連設された上蓋、Ｅはキャップ本体Ｂに取り付けられた操作部材、Ｆは容器Ａの口部１を密封するシールである。
容器Ａは、口部１を有する容器であり、口部１の外周面には、雄ネジ２が設けられている。
【００１２】
キャップ本体Ｂは、周壁３と周壁３の上端から内方に向けて延設された上壁４からなり、上壁４には、振り出し孔としての注出孔５を有する上面部６が突設されている。注出孔５は図１ではヒンジＣとは反対側に５個設けられている。
なお、注出孔は、抽出物の性状に応じて１から複数個設けることができる。注出孔が１つで大きい場合には、注出筒が設けられることがある。
【００１３】
さらに、上面部６には、後述する上蓋Ｄの嵌合用ボス１４が嵌入する嵌合孔８が設けられている。
周壁３の内周面には、雌ネジ１０が設けられており、容器Ａの口部１の雄ネジ２と螺合して、キャップ本体Ｂは容器Ａの口部１に装着される。
周壁３と上壁４の接続部には、上蓋Ｄを閉蓋する際に当接する段部７が設けられている。
【００１４】
上蓋Ｄは、頂壁１１と、その周縁に垂設された側壁１２とからなり、側壁１２の下端部に、ヒンジＣを介してキャップ本体Ｂの周壁３の外周上端で回動自在に連設されている。
頂壁１１の裏面には、突起１３が設けられ、閉蓋時に注出孔５に嵌入し、内容物が漏れるのを防止するとともに、注出孔５の目詰まりを防止するようになっている。
さらに、頂壁１１の裏面には、上蓋Ｄの閉蓋状態を保持するための嵌合用ボス１４が設けられ、嵌合用ボス１４は、円筒状で、キャップ本体Ｂの嵌合孔８に嵌入し、一旦嵌入された嵌合用ボス１４を抜けにくくするため、嵌合孔８を超えて長めに形成されている。
【００１５】
図３および４に示すように、開蓋する際に使用される操作部材Ｅは、キャップ本体Ｂおよび上蓋Ｄとは別体に構成し、キャップ本体Ｂの上面部６の周縁６ａに設けられた環状部２０と環状部２０から横方向に延びるレバー部２１とレバー部２１の側面に取り付けられる解除部２３を有する。
レバー部２１は、片側１個でもかまわないが、左右に１対設けることが好ましく、本実施例では、左右に１対設けられている。
環状部２０は、キャップ本体Ｂの上面部６の周縁６ａに摺動可能に取り付けられ、一旦取り付けられた後は、容易に抜けないようにするため、図２（ｂ）に示すように、キャップ本体Ｂの上面部６の周縁６ａには、凹凸が設けられている。
レバー部２１は、上蓋Ｄの側壁１２に設けられた後述する山状の切欠きの外方に突出し、レバー部２１の先端の指当て部２２は、上蓋Ｄの側壁１２より下方に延びている。
本実施例では、操作部材Ｅは、キャップ本体Ｂとの摺動を容易にするために、操作部材Ｅの環状部２０およびレバー部２１の下面とキャップ本体Ｂと上壁４の上面との間に隙間が設けられている。そうすることによって、内容物が粉状物であっても、上記摺動面に粒子の細かい粉体が入り込んで操作部材Ｅの回動を阻害することがない。
【００１６】
上蓋Ｄの側壁１２に設けられた山状の切欠きは、レバー部２１の上端を頂点とし、左右に傾斜する斜面部１５を形成し、操作部材Ｅのレバー部２１の側面にも、上蓋Ｄの側壁１２の切欠きと同形状に、レバー部２１の上端を頂点とし、左右にテーパー状の解除テーパー２４を有する解除部２３が設けられており、解除部２３は、閉蓋時に上蓋Ｄの側壁１２の切欠きに嵌合する。
【００１７】
次に本実施例の使用態様を示す。
本実施例のヒンジキャップは、図２のヒンジキャップのキャップ本体Ｂに、図３の操作部材Ｅを図１に示すように取り付け、内容物が充填された容器Ａの口部１にシールＦを貼着して密封状態とした後、上蓋Ｄを閉じた状態で、口部１の雄ネジ２とキャップ本体Ｂの雌ネジ１０を螺合して装着する。
本実施例では、螺合による装着を示したが、キャップ本体Ｂおよび容器Ａの口部１のそれぞれに嵌合部を設けて、上蓋Ｄの上から押圧力が加えて、容器Ａの口部１をキャップ本体Ｂで挟持して装着するものであってもかまわない。
【００１８】
図５および６には、操作部材Ｅによる、上蓋Ｄの開蓋作動方法を示しており、図５（ａ）および（ｂ）は、閉蓋時において、上蓋Ｄの側壁１２に設けられた切欠きに操作部材Ｅのレバー部２１の解除部２３が嵌合した状態を示している。
図５（ｃ）は、レバー部２１の指当て部２２を周方向に押動した時を示し、解除部２３の解除テーパー２４が上蓋Ｄの側壁１２の切欠きの斜面部１５を押して、側壁１２が上方にあげられ、上蓋Ｄが少し浮き上がった状態を示している。
【００１９】
図６（ａ）は、さらにレバー部２１の指当て部２２が押動され、上蓋Ｄが完全に開き切った開蓋状態を示しており、レバー部２１の指当て部２２は、ヒンジＣによって止められ、それより先には行くことはない。
なお、レバー部２１の指当て部２２は上蓋Ｄを全開状態まで開蓋する必要はなく、キャップ本体Ｂと上蓋Ｄとの係止が解除された状態であってもかまわない。
図６（ｃ）は、上蓋Ｄの閉蓋作用を示したもので、上蓋Ｄの頂壁１１を押すことにより、上蓋Ｄの切欠きの斜面部１５が、レバー部２１に設けられた解除部２３の解除テーパー２４を押すことになり、開蓋作用の逆方向に働き、レバー部２１が元の位置に戻され、図５の（ｂ）の閉蓋状態となる。
【００２０】
図６の（ｃ）の上方の矢印ＰＵＳＨは上蓋Ｄの押される方向を示し、下方の矢印はレバー部２１の作動方向を示す。
なお、上蓋Ｄ及びヒンジＣについて、弾性反転する構成を有するものとすることが好ましく、その場合には、ある程度上蓋Ｄが持ち上げられたときに弾性反転が起き、容易に開蓋状態に移行する。ただし、ヒンジＣは弾性反転可能な構成に限るものではない。
【００２１】
また、図７は、本発明の実施例である左右にレバー部２１が設けられた場合のレバー部２１の作動方向を示すものであり、（ａ）は本発明のキャップの閉蓋時の上面図を示し、（ｂ）は左側（図面上）のレバー部２１を時計方向に押したときの開蓋状態を示し、（ｃ）は右側（図面下）のレバー部２１を時計と逆方向に押したときの開蓋状態を示している。
図７の（ｂ）及び（ｃ）の矢印はレバー部２１の作動方向を示している。
本実施例では、レバー部２１の指当て部２２に右指を当てて、周方向（ヒンジ方向）に向けて押すだけで、簡単に開蓋作業が行うことができ、また、左右にレバー部２１を設けることによって、利き手に無関係に、右手あるいは左手の親指をそれぞれのレバー部２１の指当て部２２に当てて、同じく周方向（ヒンジ方向）に押すだけで、簡単に開蓋作業を行うことができる。
【００２２】
また、ヒンジＣの反対側に注出孔５を設けることにより、そのまま、容器Ａを傾けて注出作業を行うことができ、片手で開蓋及び注出作業が行える効果を有する。
レバー部２１の指当て部２２については、指が当たるだけのスペースが確保できればどのような形状でもよく、指を押す方向を示す矢印形状とすることも可能であり、それによって、操作方法をわかりやすくすることができる。
また、操作部材Ｅをキャップ本体Ｂおよび上蓋Ｄと色を変えることにより、デザイン性も高くなり、操作方法がよりわかりやすくなる。
また、容器Ａについては、どのような材質のものでもよく、また、容器Ａ内に収める内容物についても液状、粉末状および顆粒状など、どのような性状のものにも使用可能である。
本実施例では、操作部材Ｅとキャップ本体Ｂとの間に隙間が設けられており、粉状物が摺接面に入り込んで操作部材Ｅの回動を阻害することがないため、内容物が塩、胡椒などの調味料や小麦粉などの粒子の細かい粉体の場合に特に有効である。
【産業上の利用可能性】
【００２３】
本発明のヒンジキャップは、キャップ本体および上蓋と操作部材を備え、操作部材のレバー部を指で押圧するだけで、簡単に上蓋を開蓋することができ、上蓋を閉じる際には、上蓋の頂壁を押すことによってレバー部も元の位置に戻るため、レバー部を元の位置に戻す手間が省かれ、左右に一対レバー部を設けることによって、利き手に無関係に左右どちらの指で開蓋作業が可能であるとともに、そのまま傾けるだけで、内容物を注出することができる。
また、注出孔を選択するだけで、液状、粉状あるいは顆粒状など、どのような内容物にでも使用可能である。
特に、料理中に、簡単に片手で開蓋でき、そのまま傾けるだけで注出できるため、調味料を内容物とする容器のヒンジキャップとして好適である。
【符号の説明】
【００２４】
Ａ        容器
Ｂ        キャップ本体
Ｃ        ヒンジ
Ｄ        上蓋
Ｅ        操作部材
Ｆ        シール
１        口部
２        雄ネジ
３        周壁
４        上壁
５        注出孔
６        上面部
６ａ      周縁
７        段部
８        嵌合孔
１０        雌ネジ
１１        頂壁
１２        側壁
１３        突起
１４        嵌合用ボス
１５        斜面部
２０        環状部
２１        レバー部
２２        指当て部
２３        解除部
２４        解除テーパー
【図１】
0006436880.tif 000002
【図２】
0006436880.tif 000003
【図３】
0006436880.tif 000004
【図４】
0006436880.tif 000005
【図５】
0006436880.tif 000006
【図６】
0006436880.tif 000007
【図７】
0006436880.tif 000008